(57)【特許請求の範囲】
【請求項１】
フットボードの踏込操作によって回動される回動軸にロッカを介してビータロッドを取付け、このビータロッドの先端部にドラムヘッドを打撃するビータを取付けたドラム用フットペダルにおいて、
前記ロッカに、回転防止部と、前記ビータロッドが挿通されるロッド用挿通孔と、前記ビータロッドを前記ロッド用挿通孔に固定する固定手段とを設け、
前記ビータロッドに固定部品を設け、
前記固定部品に前記回転防止部に係合する係合部と前記ビータロッドが挿通される挿通孔を設け、
前記固定手段によって前記ビータロッドを前記ロッド用挿通孔に固定することにより前記固定部品の前記係合部を前記回転防止部に押し付けてなり、
前記係合部を前記回転防止部に押し付けた状態において、前記ロッカの前記ロッド用挿通孔は前記固定部品の前記挿通孔より前記固定手段の締付け方向にずれていることを特徴とするドラム用フットペダル。
【請求項２】
請求項１記載のドラム用フットペダルにおいて、
前記ビータロッドは、前記固定手段との当接部と、前記挿通孔の下端開口部との当接部と、前記ロッド用挿通孔の下端開口部との当接部の三点で支持されていることを特徴とするドラム用フットペダル。
【請求項３】
請求項１または２記載のドラム用フットペダルにおいて、
前記ロッカの回転防止部と前記固定部品の係合部は、互いに適合する台形状の凹部と凸部とで構成されることにより、互いに密接するテーパ面をそれぞれ有することを特徴とするドラム用フットペダル。
【発明の詳細な説明】
【０００１】
【発明の属する技術分野】
本発明は、バスドラムに用いられるドラム用フットペダルに関し、特にビータロッドのロッカに対する取付構造を改良したドラム用フットペダルに関するものである。
【０００２】
【従来の技術】
バスドラムの演奏に用いられるドラム用フットペダルは、フットボードの踏込操作によって回動される回動軸にビータロッドをロッカを介して取付け、このビータロッドの先端部に取付けたビータによってバスドラムのドラムヘッドを打撃するように構成されている。ビータロッドは、ロッカに設けたロッド取付孔に挿通され、固定用ボルトによってロッカ取付孔の孔壁に押圧、固定されている。（例：実公昭５５−４５４３３号公報、実公昭５８−４３０３５号公報、特開平８−３１４４４７号公報等）。
【０００３】
【発明が解決しようとする課題】
ビータロッドをロッカに取付ける場合、ビータロッドがロッカに対して正しく取付けられていないと、ビータのドラムヘッドを打撃する部分（打撃部）がずれてドラムヘッドとの接触面積が変化したり演奏音が微妙に変化するため、ビータの向き、言い換えれば打撃部がドラムヘッドに対して常に一定になるように取付ける必要がある。このため、従来は奏者がドラム用フットペダルの使用時にビータの打撃部が正確にドラムヘッドに当たるか否かを目視によって確認しながらビータロッドをロッカに取付けていた。しかしながら、このような確認作業はその都度行う必要があるため煩わしく、また斜め方向から確認すると取付け誤差が生じ易いという問題があった。
【０００４】
そこで、このような問題を解決するために、通常図４に示すようにビータロッドＡの基端寄りに直方体からなる固定部品Ｂをねじ止めし、この固定部品ＢをロッカＣの段差面Ｄに接触させることによりビータロッドＡの軸回りの回転を防止するようにしている。しかしながら、このような構造においては、固定部品ＢをロッカＣの段差面Ｄに単に接触させているだけでしっかり固定する機能を備えていないため、ビータロッドＡが回転しビータＥの方向が変化し易いという問題があった。
【０００５】
本発明は上記した従来の問題を解決するためになされたもので、その目的とするところは、ビータロッドに取付けられる固定部品をロッカに対して確実に固定することができてビータロッドの軸回りの回転を防止し、ビータの方向性を的確に確保し得るようにしたドラム用フットペダルを提供することにある。
【０００６】
【課題を解決するための手段】
上記目的を達成するために第１の発明は、フットボードの踏込操作によって回動される回動軸にロッカを介してビータロッドを取付け、このビータロッドの先端部にドラムヘッドを打撃するビータを取付けたドラム用フットペダルにおいて、前記ロッカに、回転防止部と、前記ビータロッドが挿通されるロッド用挿通孔と、前記ビータロッドを前記ロッド用挿通孔に固定する固定手段とを設け、前記ビータロッドに固定部品を設け、前記固定部品に前記回転防止部に係合する係合部と前記ビータロッドが挿通される挿通孔を設け、前記固定手段によって前記ビータロッドを前記ロッド用挿通孔に固定することにより前記固定部品の前記係合部を前記回転防止部に押し付けてなり、前記係合部を前記回転防止部に押し付けた状態において、前記ロッカの前記ロッド用挿通孔は前記固定部品の前記挿通孔より前記固定手段の締付け方向にずれているものである。
【０００７】
第１の発明においては、固定手段によってビータロッドをロッカのロッド用挿通孔に固定すると、固定部品がロッカの回転防止部に押し付けられ、ビータロッドの軸回り方向の遊転が防止される。したがって、ビータの方向性が確保される。固定手段としては、ボルトが用いられる。
また、ビータのロッド用挿通孔が固定部品の挿通孔より固定手段の締付け方向にずれていることにより、ビータロッドをロッド用挿通孔と挿通孔に対して点接触させることができ、ビータロッドに対する保持力を増大させることができる。したがって、固定部品が回転防止部に確実に固定され、ロッドの軸回り方向の遊転を防止する。
【０００８】
第２の発明は、上記第１の発明において、前記ビータロッドは、前記固定手段との当接部と、前記挿通孔の下端開口部との当接部と、前記ロッド用挿通孔の下端開口部との当接部の三点で支持されているものである。
【０００９】
第２の発明においては、ビータロッドが固定手段との当接部と、挿通孔の下端開口部との当接部と、ロッド用挿通孔の下端開口部との当接部の三点で支持されるので、ビータロッドに対する保持力を高めることができる。
【００１０】
第３の発明は、上記第１または第２の発明において、前記ロッカの回転防止部と前記固定部品の係合部は、互いに適合する台形状の凹部と凸部とで構成されることにより、互いに密接するテーパ面をそれぞれ有するものである。
【００１１】
第３の発明においては、テーパ面が互いに密接することで、係合部を回転防止部に対して的確に固定することができる。
【００１２】
【発明の実施の形態】
以下、本発明を図面に示す実施の形態に基づいて詳細に説明する。
図１は本発明に係るドラム用フットペダルの一実施の形態を示す外観斜視図、図２はビータロッドの取付構造を示す斜視図、図３は同じくビータロッドの取付構造を示す断面図である。これらの図において、全体を符号１で示すドラム用フットペダルは、床面に設置されるペダルフレーム２を備えている。ペダルフレーム２は、アルミニウム合金等からなりダイキャスト鋳造によって製作されたもので、板状のフレーム本体２Ａと、フレーム本体２Ａの上面両端部にそれぞれ一体に立設された２本の支柱部２Ｂ，２Ｂとからなり、フレーム本体２Ａにヒール３が連結部材４を介して連結されている。また、フレーム本体２Ａの上面には、図示を省略したバスドラムの締め枠（フープ）を咬持するクランプ金具５が取付けられている。
【００１３】
前記２本の支柱部２Ｂ，２Ｂの上端間には回動軸６が回転自在に横架されている。このため、各支柱部２Ｂの上端部は軸受部７をそれぞれ構成し、前記回動軸６の端部を軸支する軸受８が取付けられている。回動軸６の中央にはロッカ９が固定されており、またこのロッカ９にはバスドラムのドラムヘッドを打撃するビータ１０がビータロッド１１を介して取付けられるとともに、フットボード１２の前端が踏力伝達部材１３を介して連結されている。
【００１４】
前記ロッカ９は、円板状のロッカ本体９Ａと、このロッカ本体９Ａの外周の一部に一体に突設された矩形ブロック状のロッド取付部９Ｂとで構成されている。ロッカ本体９Ａは、中央に前記回動軸６が嵌合する正六角形の嵌合孔１４が貫通して形成され、前方側外周面に前記踏力伝達部材１３の上端部がボルト１５によって固定されている。前記回動軸６の前記ロッカ９が取付けられる中央部分は、断面形状が前記嵌合孔１４に嵌合し得る六角形に形成されている。
【００１５】
前記ロッド取付部９Ｂには、上、下面１７ａ，１７ｂに貫通し前記ビータロッド１１の基端部が挿通されるロッド用挿通孔１６と、このロッド用挿通孔１６と連通するように前面１７ｃに形成され固定手段として機能するボルト２０がねじ込まれるねじ孔１８が形成されている。前記ボルト２０は、頭部２０Ａが正四角柱のボルトからなり、前記ビータロッド１１をロッド用挿通孔１６の孔壁に押し付けて固定する。このようなボルト２０を締め付けたり緩めたりする際には、バスドラムのチューニングキーが共用される。チューニングキーは、バスドラムの締めボルトを回転させてドラムヘッドの張力を調整するときに用いられるものである。
【００１６】
さらに、前記ロッド取付部９Ｂの上面１７ａには、ビータロッド１１に取付けられる固定部品２７を位置決めし回転を防止する回転防止部２１が設けられている。この回転防止部２１は、前記上面１７ａの後方端に一体に突設された平面視略凹型の突条体に形成されることにより、前面中央に台形状の凹部２２が高さ方向全長にわたって形成されている。このため、凹部２２の内側両側壁はテーパ状に傾斜した斜面（テーパ面）２２ａ，２２ａを形成している。
【００１７】
前記固定部品２７は、適宜な板厚を有する平面視台形状のブロックからなり、幅方向中央で後端部寄りに前記ビータロッド１１が挿通される挿通孔２８と、この挿通孔２８と直交するねじ孔２９が形成されている。挿通孔２８は、固定部品２７の上、下面２７ａ，２７ｂに貫通して形成されている。ねじ孔２９は、固定部品２７の前面２７ｃの幅方向中央に形成されて奥端が前記挿通孔２８に連通し、固定部品２７をビータロッド１１に固定する固定手段として機能するボルト３０がねじ込まれている。ボルト３０としては、前記ボルト２０と同様に頭部が正四角柱のボルトが用いられる。前記固定部品２７の後端は前記凹部２２と同形の平面視台形状の凸部で、凹部２２に係合する係合部３１を形成している。この係合部には、後述取付け時に前記凹部２２の斜面２２ａ，２２ａに圧接する一対の斜面（テーパ面）３１ａ，３１ａが形成されている。
【００１８】
図１に示す前記フットボード１２は、足を載せるに十分な大きさの平板状に形成されて後端が前記ヒール３に図示しない連結ピンを介して回動自在に連結され、かつ復帰用ばね３５によって上方への復帰習性が付与されている。前記復帰用ばね３５は、上端が前記回動軸６の一端部に設けたカムプレート３６に連結され、下端が一方の支柱部２Ｂの下端部に設けたばね受部材３７に接続されている。前記踏力伝達部材１３としては可撓性を有する皮革または樹脂製のバンドが用いられるが、これに限らずタイミングベルト、チェーン等も用いることも可能である。
【００１９】
このような構造からなるドラム用フットペダル１において、ビータロッド１１のロッカ９への取付けは以下の手順によって行われる。
▲１▼先ず固定部品２７の挿通孔２８にビータロッド１１を挿通し、ボルト３０をねじ孔２９にねじ込みビータロッド１１を挿通孔２８の後方側孔壁に押し付けることにより、固定部品２７をビータロッド１１の所定箇所に取付ける。このとき、固定部品２７の向きがビータ１０の打撃方向と一致するように軸回り方向の位置を調整して取付ける。すなわち、固定部品２７の幅方向中心線３３が、ビータ１０のドラムヘッドを打撃する打撃部３２とビータ１０の中心Ｏ（図３）を結ぶ直線と同一方向となるように固定部品２７をビータロッド１１に対して固定する。
【００２０】
▲２▼次に、ビータロッド１１の基端部をロッカ９のロッド用挿通孔１６に挿通し、固定部品２７の係合部３１を回転防止部２１の凹部２２に上方から嵌入し、固定部品２７をロッド取付部９Ｂの上面１７ａに載置する。
【００２１】
係合部３１を凹部２２に嵌入させて後述するロッカ９への取付けを行うと、固定部品２７の回転、言い換えればビータロッド１１の軸回りの回転は阻止される。
【００２２】
係合部３１を凹部２２に嵌入した状態において、これら両部間には凹部２２へのはめ込みを容易にするために通常図３に示すように適宜な隙間ｄ（凹部２２の奥壁と、この奥壁に対向する係合部３１の中央壁との隙間）が存在する。また、ビータロッド１１とロッド用挿通孔１６との間にも当然のことながら適宜な隙間が存在する。この隙間ｄは固定部品２７を後方に移動させて係合部３１を凹部２２に密接させることで零にすることができる。しかし、この状態においてもビータロッド１１はロッド用挿通孔１６の後方側内壁に接触することがなく、ロッド用挿通孔１６との間に環状の隙間が存在している。また、ロッド用挿通孔１６と挿通孔２８の軸線は一致せず、挿通孔２８がロッド用挿通孔１６よりより前方、にずれている。言い換えれば、ロッド用挿通孔１６は、挿通孔２８よりボルト２０の締付け方向にずれている。言い換えればロッド用挿通孔１６が挿通孔２８より固定手段２０の締付け方向にΔだけずれている。
【００２３】
▲３▼次に、ボルト２０をねじ孔１８にねじ込みビータロッド１１の当該ボルト２０に対応する部分を押圧すると、ビータロッド１１は図３において左方に撓むため、係合部３１が左方に移動して回転防止部２１に係入する。このため前記隙間ｄが減少し（零にはならない）、前記斜面３１ａ，３１ａが斜面２２ａ，２２ａに圧接される。これにより、固定部品２７はロッカ９の回転防止部２１に位置決めされて強固に固定され、回転が防止される。この状態において、ロッド挿通孔１６は挿通孔２８よりもボルト２０の締付け方向にΔだけずれている。また、ビータロッド１１の下端部は、ロッド用挿通孔１６の下端開口部の後方側孔壁に押し付けられ、もってビータロッド１１がロッカ９に取付けられる。
【００２４】
このようにしてビータロッド１１をロッカ９に取付けると、ビータロッド１１は、ボルト２０との当接部Ｐ1 、挿通孔２８の下端開口部との当接部Ｐ2 （２つの斜面２２ａ，２２ａと３１ａ，３１ａとの当接）および、ビータロッド１１とロッド用挿通孔１６の下端開口部との当接部Ｐ3 の三点で支持され、これによりビータロッド１１に対する保持力を高めるようにしている。
【００２５】
前記フットボード１２は通常図１に示す初期位置状態に保持されている。この状態よりフットボード１２を踏込操作すると、踏力伝達部材１３が引き下げられて回動軸６を図１において時計方向に回動させる。したがって、ビータロッド１１も回動軸６と一体に回動し、ビータ１０がバスドラムのドラムヘッドを打撃する。このときのフットボード１２の最大踏込角度は、１５°程度である。打撃後、フットボード１２から踏込操作力を取り除くと、フットボード１２は復帰用ばね３５のばね力によって上昇し、図に示す元の状態に復帰することにより次の踏込操作を可能にする。
【００２６】
このような構造からなるドラム用フットペダル１においては、ビータロッド１１に取付けた固定部品２７をロッカ９に設けた回転防止部２１に押し付けて位置決め固定するように構成したので、ビータロッド１１のロッカ９に対する取付けが確実で軸回りの回転を防止することができる。したがって、ビータ１０の打撃部３２がずれたりすることがない。また、特に凹部２２と係合部３１の突上げ部分をテーパ形状にしているので、高い方向性をもってビータ１０をロッカ９に取付けることができる。
【００２７】
また、固定部品２７の係合部３１を回転防止部２１の凹部２２に嵌合し、ボルト２０によってビータロッド１１をロッカ９のロッカ用挿通孔１６に固定するだけでよいので、その都度目視によってビータ１０の方向が正しいか否かを確認する必要がなく、ビータロッド１１のロッカ９に対する取付け作業も容易である。
【００２８】
【発明の効果】
以上説明したように本発明に係るドラム用フットペダルは、ロッカに設けた回転防止部によってビータロッドに設けた固定部品を位置決めして固定するように構成したので、ビータロッドの軸回りの回転を確実に防止することができ、ビータに高い方向性を付与することができる。したがって、ビータロッドをロッカに取付ける度にビータの打撃部がずれているか否かを確認する必要がなく、常に同一箇所を打撃部として用いることができ、安定したドラム演奏を可能にする。
また、ビータロッドを固定手段によってロッカのロッド用挿通孔に固定すると、固定部品の係合部を回転防止部に押し付けることができるため、固定部品の固定も確実である。
さらに、ビータロッドの保持力が大きく、安定した状態で保持固定することができる。
【図面の簡単な説明】
【図１】  本発明に係るドラム用フットペダルの一実施の形態を示す外観斜視図である。
【図２】  ビータロッドの取付構造を示す斜視図である。
【図３】  同じくビータロッドの取付構造を示す断面図である。
【図４】  従来のビータを示す図である。
【符号の説明】
１…ドラム用フットペダル、２…ペダルフレーム、２Ｂ…支柱部、６…回動軸、９…ロッカ、９Ａ…ロッカ本体、９Ｂ…ロッド取付部、１０…ビータ、１１…ビータロッド、１２…フットボード、１３…踏力伝達部材、１６…ロッド用挿通孔、２０…ボルト、２１…回転防止部、２２…凹部、２２ａ…斜面（テーパ面）、２７…固定部品、２８…挿通孔、３０…ボルト、３１…係合部、３１ａ…斜面（テーパ面）。
【図１】
0003661654.tif 000002
【図２】
0003661654.tif 000003
【図３】
0003661654.tif 000004
【図４】
0003661654.tif 000005